(57)【要約】【課題】自動車用の灰皿に設けられた着火したタバコを消火するための消火筒を、灰やヤニで詰まらせることのない確実で効果的なクリーニングをするための構造を提供する。【解決手段】自動車用灰皿に設けられた消火筒５を第１消火筒部材５ａと第２消火筒部材とで構成し、第１消火筒部材５ａと指掛部６を一体に形成したことで、容易に確実に内部に溜まった灰を、クリーニングできるようにした。【選択図】  図１
2004189199.tif 000002
【特許請求の範囲】
【請求項１】
着火したタバコを挿入して酸欠消火するための消火筒を有し、該消火筒は第１消火筒部材と、第２消火筒部材とで上方を開放し有底の筒状部を形成するとともに、第１消火筒部材は上方部を回動可能に軸支することにより、第１消火筒部材と第２消火筒部材とで筒状部をなしていた消火筒の下方を回動操作により開放可能に構成し、消火筒に溜まった灰を灰皿の吸殻捨部に落下させるようにした自動車用灰皿において、第１消火筒部材と灰皿本体の蓋を開けるための指掛部とを一体に形成したことを特徴とする自動車用灰皿。
【発明の詳細な説明】
【０００１】
【発明の属する技術分野】
本発明は、自動車用の灰皿に関し、特に消火筒のクリーニング構造に関する。
【０００２】
【従来の技術】
従来、自動車用の灰皿には、着火したタバコを容易に消火するための消火筒が設けられている。消火筒は概ねタバコの直径と同一の内寸で、着火したタバコの先端部から挿入してタバコが自立保持できる程度の深さからなっており、底部には消火時に生じた灰を灰皿の吸殻捨部に落下させるための灰落孔が設けられている。また、このような消火筒を縦方向に２分割して開放可能に構成することにより、消火筒に溜まった灰を適宜開放させて吸殻捨部に落下させるようにしたものがある。（例えば、特許文献１参照。）
【０００３】
以下、図５、図６により従来の消火筒について説明する。
図５の１は灰皿本体で、吸殻を捨てるための吸殻捨部２、吸殻捨部２の上方開放部に嵌合された枠部材３とからなり、枠部材３には消火筒部５が形成される。
消火筒部５は、上方が開放され底部に灰を吸殻捨部２に落とすための灰落孔５ｅが開口されている。
また図６は、特許文献１の実開昭６１−３０５４１号公報の第２図を引用し、符号は本発明に合わせるため変更して説明する。
図中１は灰皿本体、５ａは第１消火筒部材、５ｂは第２消火筒部材、５ｆは凸片、７はタバコであり、灰皿を引き出した状態を示している。図面視左方向に灰皿本体を収納すると凸片５ｆが上部の壁に当接し、第１消火筒部材５ａが回動し、下方向に開口し、消火筒５内に溜まった灰を落下させる。
【特許文献１】実開昭６１−３０５４１号公報
【０００４】
【発明が解決しようとする課題】
しかしながら、前記した従来例の消火筒は底部に灰落孔が設けられているとはいえ、度重なる使用によって灰とヤニで閉鎖して詰まってしまい、そのまま使用を継続すると灰とヤニが堆積し、消火筒が徐々に浅くなってタバコを挿入しても自立保持できなくなり倒れてしまう。このような状態では消火筒としての意味を全くなさない。このような問題点を解決するために特許文献１に示した考案が提案されている。特許文献１は自動車に既設された灰皿で、開放可能に構成された消火筒を灰皿の使用、不使用の挿脱操作（収納、引き出し操作）で連動させ、収納させるときに消火筒が開放され、溜まった灰が灰皿内部に落下し消火筒をクリーニングされる考案が開示されている。しかしならがら、このような構成であると、灰皿の挿脱操作でしか消火筒の開放動作が行われず、しかも挿脱操作自体動きが緩慢なものであるので、溜まった灰がさらさらな状態であるならば問題なく落下しクリーニングされるが、タバコの消火時には灰だけではなくヤニも生じるため、使用を重ねることで、徐々にベタつきだし、落下しない状態をきたすことになる。灰皿の挿脱動作をさせずに手で直接筒状部材の開放動作をさせてもよいが、そのような操作を想定していないため、操作しづらく手が汚れることになり現実的ではない。また、道具を使ってクリーニングすることも手間がかかり同様に現実的ではない。
本発明は、このような問題を解消し、灰皿の消火筒に溜まった灰を効果的にクリーニングすることのできる自動車用灰皿を提供することを目的としている。
【０００５】
【課題を解決するための手段】
上記の課題は本発明によれば、着火したタバコを挿入して酸欠消火するための消火筒を有し、該消火筒は第１消火筒部材と、第２消火筒部材とで上方を開放し有底の筒状部を形成するとともに、第１消火筒部材は上方部を回動可能に軸支することにより、第１消火筒部材と第２消火筒部材とで筒状部をなしていた消火筒の下方を回動操作により開放可能に構成し、消火筒に溜まった灰を灰皿の灰受部に落下させるようにした自動車用灰皿において、第１消火筒部材と灰皿本体の蓋を開けるための指掛部とを一体に形成したことで解決される。
【０００６】
【発明の実施の形態】
次に本発明を図１から図４に示す実施の形態に基づいて詳細に説明する。
図中１は、本発明の自動車用灰皿本体であり、吸殻や灰を捨てるための吸殻捨部２と、吸殻捨部２の上方開放端に位置する枠部材３から構成されている。
枠部材３には、灰皿本体１の背面側上縁部に蓋部４を軸支し、着火したタバコを挿入して酸欠消火させるための消火筒５と、指掛部６から構成されている。
消火筒５は図３に示されるように、第１消火筒部材５ａと、第２消火筒部材５ｂとで、上方を開放された有底の筒状部５ｃを形成する。
第１消火筒部材５ａは指掛部６と一体に形成され、指掛部６と第１消火筒部材５ａとの概ね中間に軸支部５ｄを設け回動可能に枠部材３の前方側に構成される。第１消火筒部材５ａは、図示しないが軸支部５ｄにスプリングを内装することによって、常に第２消火筒部材５ｂとで、側面及び底面を閉鎖された状態の消火筒５ｃを構成するために付勢されている。
また蓋部４は、枠部材３とのヒンジ部（図示しない）に常に開蓋状態を保つ方向にスプリングが内装され、閉蓋時は指掛部６の後方に設けられた蓋係止部４ｂに蓋部４に設けられた蓋係止爪４ａが係止されることで閉蓋されるが、開蓋する際は、指掛部６を下に押し下げることにより、蓋係止爪４ａが蓋係止部４ｂから係止解除されることで、上方に跳ね上がり開蓋される。
【０００７】
以上のような構成になっているので、タバコを消火する際は、着火したタバコの先端から消火筒５の筒状部５ｃに挿入する。このとき筒状部５ｃの内部は酸欠状態になり概ね１０秒ほどで消火される。消火されたタバコは、その後喫煙者によって筒状部５ｃから抜き取られ灰捨部２に吸殻として廃棄されるが、筒状部５ｃの底部には灰が残る。
その際、指掛部６を下に押し下げると、側面と底面を閉鎖した状態の筒状部５ｃの下方向が開放され、筒状部５ｃに溜まっていた灰が吸殻捨部２に落下し、筒状部５ｃはクリーニングされる。
【０００８】
前記した筒状部５ｃの下方向が開放される動作は、蓋部４を開けるために指掛部６を押し下げるときにとどまらず、蓋部４を閉めるときにも、蓋係止部４ｂに蓋部４の蓋係止爪４ａが係止される途中の段階で必然的に開放動作され、また、既に蓋部４を開けたままにした状態においても、任意に指掛部６の押し下げることで、必要に応じて筒状部５ｃのクリーニングを行うことができる。
また、指掛部６と一体に形成された第１消火筒部材５ａは、スプリングによって常に第２消火筒部材５ｂに付勢されているので、指掛部６を指でパチンパチンと弾くように操作することで、第１消火筒部材５ａが衝撃的に第２消火筒部材５ｂに当たり、消火筒５の内部に強い衝撃が加わることとなる。このように指掛部６を指で弾くことにより、度重なる使用で筒状部５ｃにこびりついた灰やヤニを効果的にクリーニングすることが可能になる。
本実施例では蓋部４がある自動車用灰皿を説明したが、蓋部４のない自動車用灰皿でもよいことはいうまでもない。
【０００９】
【発明の効果】
以上説明した本発明により、着火したタバコを挿入して酸欠消火するための消火筒を有し、該消火筒は第１消火筒部材と、第２消火筒部材とで上方を開放し有底の筒状部を形成するとともに、第１消火筒部材は上方部を回動可能に軸支し、回動操作することにより、第１消火筒部材と第２消火筒部材とで筒状部をなしていた消火筒の下方を開放可能に構成し、消火筒５に溜まった灰を灰皿の吸殻捨部２に落下させるようにした自動車用灰皿において、第１消火筒部材５ａと指掛部６とを一体に形成したので、蓋部４を開ける際や、任意に指掛部６を押し下げることで筒状部５ｃが下方向に開放され、容易に消火筒５の内部に溜まった灰を吸殻捨部２に落下させクリーニングすることが可能になる。
この筒状部５ｃの開放動作は、前記の蓋部４を開ける際や、任意に指掛部６を押し下げることにとどまらず、蓋部４を閉めるときにも、蓋係止部４ｂに蓋部４の蓋係止爪４ａが係止することでも自動的に開放動作しクリーニングされる。
しかも、指掛部６と一体に形成された第１消火筒部材５ａは、スプリングによって常に第２消火筒部材に付勢されているので、指掛部６を指でパチンパチンと数回弾くように操作することで、第１消火筒部材５ａが衝撃的に第２消火筒部材５ｂに当たり、消火筒５の内部に強い衝撃を与えることができる。その結果、度重なる使用で筒状部５ｃにこびりついた灰やヤニを効果的にクリーニングすることが可能になり、消火筒５内部に溜まる灰やヤニを効果的にワンタッチで確実にクリーニングすることができ、実用性に優れた効果を奏するものである。
【図面の簡単な説明】
【図１】本発明の実施例の蓋部４を開けた状態の外観説明図である。
【図２】本発明の指掛部６を押し下げた状態を示す外観図である。
【図３】本発明の消火筒部５の閉鎖した状態を示す断面図である。
【図４】本発明の消火筒部５を開放させた状態を示す断面図である。
【図５】従来例の灰皿の消火筒を示した図である。
【図６】特許文献１の第２図である。
【符号の説明】
１    自動車用灰皿本体
２    吸殻捨部
３    枠部材
４    蓋部
４ａ  蓋係止爪部
４ｂ  蓋係止部
５    消火筒
５ａ  第１消火筒部材
５ｂ  第２消火筒部材
５ｃ  筒状部
５ｄ  軸支部
５ｆ  凸片
６    指掛部
７    タバコ
【図１】
2004189199.tif 000003
【図２】
2004189199.tif 000004
【図３】
2004189199.tif 000005
【図４】
2004189199.tif 000006
【図５】
2004189199.tif 000007
【図６】
2004189199.tif 000008